(57)【要約】      （修正有）【課題】特性を向上させる受光素子を提供する。【解決手段】受光素子は、オンチップレンズ６２と、配線層９１と、オンチップレンズ６２と配線層９１との間に配される半導体層６１とを備え、半導体層６１は、第１の電圧が印加される第１の電圧印加部と、第１の電圧とは異なる第２の電圧が印加される第２の電圧印加部と、第１の電圧印加部の周囲に配置される第１の電荷検出部と、第２の電圧印加部の周囲に配置される第２の電荷検出部とを備える。配線層９１は、第１の電荷検出部および第２の電荷検出部に対応する平面領域に、光の反射を抑制する反射抑制構造２１１を有する。本技術は、例えば、測距システムに用いられる受光素子等に適用できる。【選択図】図１３
2019161171.tif 000002
【特許請求の範囲】
【請求項１】
オンチップレンズと、
配線層と、
前記オンチップレンズと前記配線層との間に配される半導体層と
を備え、
前記半導体層は、
第１の電圧が印加される第１の電圧印加部と、
前記第１の電圧とは異なる第２の電圧が印加される第２の電圧印加部と、
前記第１の電圧印加部の周囲に配置される第１の電荷検出部と、
前記第２の電圧印加部の周囲に配置される第２の電荷検出部と
を備え、
前記配線層は、前記第１の電荷検出部および前記第２の電荷検出部に対応する平面領域に、光の反射を抑制する反射抑制構造を有する
受光素子。
【請求項２】
前記反射抑制構造は、ポリシリコンで形成された膜である
請求項１に記載の受光素子。
【請求項３】
前記反射抑制構造は、窒化膜で形成された膜である
請求項１に記載の受光素子。
【請求項４】
前記反射抑制構造は、ポリシリコンで形成された第１の反射抑制膜と、窒化膜で形成された第２の反射抑制膜とが前記配線層の積層方向に積層された構造である
請求項１に記載の受光素子。
【請求項５】
前記配線層は、前記第１の電圧を供給する第１の電圧印加配線と、前記第２の電圧を供給する第２の電圧印加配線と、反射部材とを備える１層の配線を少なくとも有し、
前記反射部材は、前記第１の電荷検出部および前記第２の電荷検出部に対応する平面領域には形成されていない
請求項１に記載の受光素子。
【請求項６】
前記第１の電圧印加配線と、前記第２の電圧印加配線と、前記反射部材とを備える前記１層の配線は、複数層の配線のうち、前記半導体層に最も近い配線である
請求項５に記載の受光素子。
【請求項７】
前記反射部材は、金属膜である
請求項５に記載の受光素子。
【請求項８】
前記半導体層は、
前記第１の電圧印加部と前記第１の電荷検出部との間、および、前記第２の電圧印加部と前記第２の電荷検出部との間に、第１の埋め込み絶縁膜をさらに備える
請求項１に記載の受光素子。
【請求項９】
前記第１の埋め込み絶縁膜の内部に、遮光膜をさらに備える
請求項８に記載の受光素子。
【請求項１０】
前記半導体層は、
前記第１の電荷検出部と前記第２の電荷検出部との間にも、第２の埋め込み絶縁膜をさらに備える
請求項８に記載の受光素子。
【請求項１１】
前記第１の電荷検出部と前記第２の電荷検出部との間の前記第２の埋め込み絶縁膜の内部に、遮光膜をさらに備える
請求項１０に記載の受光素子。
【請求項１２】
オンチップレンズと、
配線層と、
前記オンチップレンズと前記配線層との間に配される半導体層と
を備え、
前記半導体層は、
第１の電圧が印加される第１の電圧印加部と、
前記第１の電圧とは異なる第２の電圧が印加される第２の電圧印加部と、
前記第１の電圧印加部の周囲に配置される第１の電荷検出部と、
前記第２の電圧印加部の周囲に配置される第２の電荷検出部と
を備え、
前記配線層は、前記第１の電荷検出部および前記第２の電荷検出部に対応する平面領域に、光の反射を抑制する反射抑制構造を有する
受光素子
を備える電子機器。
【発明の詳細な説明】
【技術分野】
【０００１】
本技術は、受光素子および電子機器に関し、特に、特性を向上させることができるようにした受光素子および電子機器に関する。
【背景技術】
【０００２】
従来、間接ToF（Time of Flight）方式を利用した測距システムが知られている。このような測距システムでは、ある位相でLED（Light Emitting Diode）やレーザを用いて照射されたアクティブ光が対象物にあたって反射した光を受光することで得られる信号電荷を高速に異なる領域に振り分けることのできるセンサが必要不可欠である。
【０００３】
そこで、例えばセンサの基板に直接電圧を印加して基板内に電流を発生させることで、基板内の広範囲の領域を高速に変調できるようにした技術が提案されている（例えば、特許文献１参照）。このようなセンサは、CAPD（Current Assisted Photonic Demodulator）センサとも呼ばれている。
【先行技術文献】
【特許文献】
【０００４】
【特許文献１】特開２０１１−８６９０４号公報
【発明の概要】
【発明が解決しようとする課題】
【０００５】
上述したCAPDセンサは、基板における外部からの光を受光する側の面に配線等が配置された表面照射型のセンサとなっている。光電変換領域の確保のためにPD（Photodiode）、すなわち光電変換部の受光面側には配線など、入射してくる光の光路を遮るものがないことが望ましい。しかし、表面照射型のCAPDセンサでは、構造によってはPDの受光面側に電荷取り出し用の配線や各種制御線、信号線を配置せざるを得ないものがあり、光電変換領域が制限されてしまう。つまり、十分な光電変換領域を確保することができず、画素感度等の特性が低下してしまうことがある。
【０００６】
本技術は、このような状況に鑑みてなされたものであり、特性を向上させることができるようにするものである。
【課題を解決するための手段】
【０００７】
本技術の第１の側面の受光素子は、オンチップレンズと、配線層と、前記オンチップレンズと前記配線層との間に配される半導体層とを備え、前記半導体層は、第１の電圧が印加される第１の電圧印加部と、前記第１の電圧とは異なる第２の電圧が印加される第２の電圧印加部と、前記第１の電圧印加部の周囲に配置される第１の電荷検出部と、前記第２の電圧印加部の周囲に配置される第２の電荷検出部とを備え、前記配線層は、前記第１の電荷検出部および前記第２の電荷検出部に対応する平面領域に、光の反射を抑制する反射抑制構造を有する。
【０００８】
本技術の第２の側面の電子機器は、オンチップレンズと、配線層と、前記オンチップレンズと前記配線層との間に配される半導体層とを備え、前記半導体層は、第１の電圧が印加される第１の電圧印加部と、前記第１の電圧とは異なる第２の電圧が印加される第２の電圧印加部と、前記第１の電圧印加部の周囲に配置される第１の電荷検出部と、前記第２の電圧印加部の周囲に配置される第２の電荷検出部とを備え、前記配線層は、前記第１の電荷検出部および前記第２の電荷検出部に対応する平面領域に、光の反射を抑制する反射抑制構造を有する受光素子を備える。
【０００９】
本技術の第１および第２の側面においては、オンチップレンズと、配線層と、前記オンチップレンズと前記配線層との間に配される半導体層とが設けられ、前記半導体層には、第１の電圧が印加される第１の電圧印加部と、前記第１の電圧とは異なる第２の電圧が印加される第２の電圧印加部と、前記第１の電圧印加部の周囲に配置される第１の電荷検出部と、前記第２の電圧印加部の周囲に配置される第２の電荷検出部とが設けられる。前記配線層には、前記第１の電荷検出部および前記第２の電荷検出部に対応する平面領域に、光の反射を抑制する反射抑制構造が設けられる。
【００１０】
受光素子及び電子機器は、独立した装置であっても良いし、他の装置に組み込まれるモジュールであっても良い。
【発明の効果】
【００１１】
本技術の第１および第２の側面によれば、特性を向上させることができる。
【００１２】
なお、ここに記載された効果は必ずしも限定されるものではなく、本開示中に記載されたいずれかの効果であってもよい。
【図面の簡単な説明】
【００１３】
【図１】受光素子の構成例を示すブロック図である。
【図２】図１の受光素子の画素の断面図である。
【図３】信号取り出し部の平面形状の例を示す平面図である。
【図４】画素の等価回路である。
【図５】図１の受光素子の効果を説明する図である。
【図６】図１の受光素子の効果を説明する図である。
【図７】図１の受光素子の効果を説明する図である。
【図８】図１の受光素子の効果を説明する図である。
【図９】図１の受光素子の効果を説明する図である。
【図１０】図１の受光素子の複数画素の断面図である。
【図１１】図１の受光素子の複数画素の断面図である。
【図１２】多層配線層内の金属膜の平面図である。
【図１３】本技術を適用した画素の第１実施の形態の画素構造を示す断面図である。
【図１４】第１実施の形態の画素構造の効果を説明する図である。
【図１５】本技術を適用した画素の第２実施の形態の画素構造を示す断面図である。
【図１６】本技術を適用した画素の第３実施の形態の画素構造を示す断面図である。
【図１７】本技術を適用した画素の第４実施の形態の画素構造を示す断面図である。
【図１８】第４実施の形態の変形例を示す断面図である。
【図１９】本技術を適用した画素の第５実施の形態の画素構造を示す断面図である。
【図２０】第５実施の形態の画素構造の効果を説明する図である。
【図２１】本技術を適用した画素の第６実施の形態の画素構造を示す断面図である。
【図２２】第６実施の形態の画素構造の効果を説明する図である。
【図２３】本技術を適用した画素の第７実施の形態の画素構造を示す断面図である。
【図２４】第７実施の形態の画素構造の効果を説明する図である。
【図２５】本技術を適用した画素の第８実施の形態の画素構造を示す断面図である。
【図２６】本技術を適用した画素の第９実施の形態の画素構造を示す断面図である。
【図２７】第９実施の形態の変形例を示す断面図である。
【図２８】測距モジュールの構成例を示すブロック図である。
【図２９】内視鏡手術システムの概略的な構成の一例を示す図である。
【図３０】カメラヘッド及びＣＣＵの機能構成の一例を示すブロック図である。
【図３１】車両制御システムの概略的な構成の一例を示すブロック図である。
【図３２】車外情報検出部及び撮像部の設置位置の一例を示す説明図である。
【発明を実施するための形態】
【００１４】
以下、本技術を実施するための形態（以下、実施の形態という）について説明する。なお、説明は以下の順序で行う。
１．受光素子の基本構成例
２．基本画素構造の改善の必要性
３．画素の第１実施の形態
４．画素の第２実施の形態
５．画素の第３実施の形態
６．画素の第４実施の形態
７．画素の第５実施の形態
８．画素の第６実施の形態
９．画素の第７実施の形態
１０．画素の第８実施の形態
１１．画素の第９実施の形態
１２．まとめ
１３．測距モジュールの構成例
１４．内視鏡手術システムへの応用例
１５．移動体への応用例
【００１５】
＜１．受光素子の基本構成例＞
本技術は、裏面照射型のCAPDセンサとして機能する受光素子に関するが、初めに、本技術を適用する受光素子の前提となる、受光素子の基本構造について説明する。
【００１６】
＜ブロック図＞
図１は、受光素子の構成例を示すブロック図である。
【００１７】
図１に示す受光素子１は、裏面照射型のCAPDセンサとして機能する素子であり、例えば間接ToF方式により測距を行う測距システムの一部に用いられる。測距システムは、例えば、車両に搭載され、車外にある対象物までの距離を測定する車載用のシステムや、ユーザの手等の対象物までの距離を測定し、その測定結果に基づいてユーザのジェスチャを認識するジェスチャ認識用のシステムなどに適用することができる。
【００１８】
受光素子１は、図示せぬ半導体基板上に形成された画素アレイ部２１と、画素アレイ部２１と同じ半導体基板上に集積された周辺回路部とを有する構成となっている。周辺回路部は、例えば垂直駆動部２２、カラム処理部２３、水平駆動部２４、およびシステム制御部２５等から構成されている。
【００１９】
受光素子１には、さらに信号処理部２６およびデータ格納部２７も設けられている。なお、信号処理部２６およびデータ格納部２７は、受光素子１と同じ基板上に搭載してもよいし、受光素子１とは別の撮像装置内の基板上に配置してもよい。
【００２０】
画素アレイ部２１は、受光した光量に応じた電荷を生成し、その電荷に応じた信号を出力する画素が行方向および列方向に、すなわち行列状に２次元配置された構成となっている。すなわち、画素アレイ部２１は、入射した光を光電変換し、その結果得られた電荷に応じた信号を出力する画素を複数有している。
【００２１】
ここで、行方向とは画素行の画素の配列方向（すなわち、水平方向）をいい、列方向とは画素列の画素の配列方向（すなわち、垂直方向）をいう。つまり、行方向は図中、横方向であり、列方向は図中、縦方向である。
【００２２】
画素アレイ部２１において、行列状の画素配列に対して、画素行ごとに画素駆動線２８が行方向に沿って配線され、各画素列に２つの垂直信号線２９が列方向に沿って配線されている。例えば画素駆動線２８は、画素から信号を読み出す際の駆動を行うための駆動信号を伝送する。なお、図１では、画素駆動線２８について１本の配線として示しているが、１本に限られるものではない。画素駆動線２８の一端は、垂直駆動部２２の各行に対応した出力端に接続されている。
【００２３】
垂直駆動部２２は、シフトレジスタやアドレスデコーダなどによって構成され、画素アレイ部２１の各画素を全画素同時あるいは行単位等で駆動する。すなわち、垂直駆動部２２は、垂直駆動部２２を制御するシステム制御部２５とともに、画素アレイ部２１の各画素の動作を制御する駆動部を構成している。
【００２４】
なお、間接ToF方式での測距においては、１つの制御線に接続されている、高速駆動させる素子（CAPD素子）の数が高速駆動の制御性や駆動の精度へ影響を及ぼす。間接ToF方式での測距に用いる受光素子は、水平方向に長い画素アレイとされることが多い。したがって、そのようなときには高速駆動させる素子の制御線に関しては、垂直信号線２９や他の垂直方向に長い制御線が用いられるようにしてもよい。この場合、例えば垂直信号線２９や垂直方向に長い他の制御線に対して、垂直方向に配列された複数の画素が接続され、それらの垂直信号線２９や他の制御線を介して、垂直駆動部２２とは別に設けられた駆動部や水平駆動部２４等により画素の駆動、すなわちCAPDセンサの駆動が行われる。
【００２５】
垂直駆動部２２による駆動制御に応じて画素行の各画素から出力される信号は、垂直信号線２９を通してカラム処理部２３に入力される。カラム処理部２３は、各画素から垂直信号線２９を通して出力される信号に対して所定の信号処理を行うとともに、信号処理後の画素信号を一時的に保持する。具体的には、カラム処理部２３は、信号処理としてノイズ除去処理やAD（Analog to Digital）変換処理などを行う。
【００２６】
水平駆動部２４は、シフトレジスタやアドレスデコーダなどによって構成され、カラム処理部２３の画素列に対応する単位回路を順番に選択する。この水平駆動部２４による選択走査により、カラム処理部２３において単位回路ごとに信号処理された画素信号が順番に出力される。
【００２７】
システム制御部２５は、各種のタイミング信号を生成するタイミングジェネレータなどによって構成され、そのタイミングジェネレータで生成された各種のタイミング信号を基に、垂直駆動部２２、カラム処理部２３、および水平駆動部２４などの駆動制御を行う。
【００２８】
信号処理部２６は、少なくとも演算処理機能を有し、カラム処理部２３から出力される画素信号に基づいて演算処理等の種々の信号処理を行う。データ格納部２７は、信号処理部２６での信号処理にあたって、その処理に必要なデータを一時的に格納する。
【００２９】
受光素子１は、以上のように構成することができる。
【００３０】
＜画素の断面構成例＞
次に、画素アレイ部２１に設けられた画素の構成例について説明する。画素アレイ部２１に設けられた画素は、例えば図２に示すように構成される。
【００３１】
図２は、画素アレイ部２１に設けられた１つの画素５１の断面図を示しており、この画素５１は外部から入射した光、特に赤外光を受光して光電変換し、その結果得られた電荷に応じた信号を出力する。
【００３２】
画素５１は、例えばシリコン基板、すなわちP型の半導体層からなる半導体基板６１と、その半導体基板６１上に形成されたオンチップレンズ６２とを有している。
【００３３】
半導体基板６１は、図中、縦方向の厚さ、つまり半導体基板６１の面と垂直な方向の厚さが、例えば20μｍ以下となるように構成されている。なお、半導体基板６１の厚さは20μｍ以上であっても勿論よく、その厚さは受光素子１の目標とする特性等に応じて定められればよい。
【００３４】
また、半導体基板６１は、例えば１Ｅ＋１３オーダー以下の基板濃度とされた高抵抗のP‐Epi基板などとされ、半導体基板６１の抵抗（抵抗率）は例えば500［Ωcm］以上となるように構成されている。
【００３５】
ここで、半導体基板６１の基板濃度と抵抗との関係は、例えば基板濃度6.48E＋12［cm3］のときに抵抗2000［Ωcm］、基板濃度1.30E＋13［cm3］のときに抵抗1000［Ωcm］、基板濃度2.59E＋13［cm3］のときに抵抗500［Ωcm］、および基板濃度1.30E＋14［cm3］のときに抵抗100［Ωcm］などとされる。
【００３６】
半導体基板６１の図中、上側の表面、つまり半導体基板６１における外部からの光が入射する側の面（以下、光入射面とも称する）上には、外部から入射した光を集光して半導体基板６１内に入射させるオンチップレンズ６２が形成されている。
【００３７】
さらに、半導体基板６１の光入射面上における画素５１の境界部分には、隣接する画素間での混色を防止するための画素間遮光膜６３が形成されている。画素間遮光膜６３は、画素５１に入射した光が、隣接して設けられた他の画素５１に入射されることを防止する。
【００３８】
半導体基板６１内における光入射面とは反対の面側、すなわち図中、下側の面の内側の部分には、Tap（タップ）と呼ばれる信号取り出し部６５−１および信号取り出し部６５−２が形成されている。
【００３９】
信号取り出し部６５−１は、N型半導体領域であるN＋半導体領域７１−１およびそれよりもドナー不純物の濃度が低いN−半導体領域７２−１と、P型半導体領域であるP＋半導体領域７３−１およびそれよりもアクセプター不純物濃度が低いP−半導体領域７４−１とを有している。ここで、ドナー不純物とは、例えばSiに対してのリン（P）やヒ素（As）等の元素の周期表で5族に属する元素が挙げられ、アクセプター不純物とは、例えばSiに対してのホウ素（B）等の元素の周期表で３族に属する元素が挙げられる。ドナー不純物となる元素をドナー元素、アクセプター不純物となる元素をアクセプター元素と称する。
【００４０】
N−半導体領域７２−１は、N＋半導体領域７１−１の上側に、N＋半導体領域７１−１を覆うように（囲むように）形成されている。同様に、P−半導体領域７４−１は、P＋半導体領域７３−１の上側に、そのP＋半導体領域７３−１を覆うように（囲むように）形成されている。
【００４１】
平面視では、N＋半導体領域７１−１は、図３を参照して後述するように、P＋半導体領域７３−１を中心として、P＋半導体領域７３−１の周囲を囲むように形成されている。N＋半導体領域７１−１の上側に形成されているN−半導体領域７２−１も同様に、P−半導体領域７４−１を中心として、P−半導体領域７４−１の周囲を囲むように形成されている。
【００４２】
同様に、信号取り出し部６５−２は、N型半導体領域であるN＋半導体領域７１−２およびそれよりもドナー不純物の濃度が低いN−半導体領域７２−２と、P型半導体領域であるP＋半導体領域７３−２およびそれよりもアクセプター不純物濃度が低いP−半導体領域７４−２とを有している。
【００４３】
N−半導体領域７２−２は、N＋半導体領域７１−２の上側に、N＋半導体領域７１−２を覆うように（囲むように）形成されている。同様に、P−半導体領域７４−２は、P＋半導体領域７３−２の上側に、そのP＋半導体領域７３−２を覆うように（囲むように）形成されている。
【００４４】
平面視では、N＋半導体領域７１−２は、図３を参照して後述するように、P＋半導体領域７３−２を中心として、P＋半導体領域７３−２の周囲を囲むように形成されている。N＋半導体領域７１−２の上側に形成されているN−半導体領域７２−２も同様に、P−半導体領域７４−２を中心として、P−半導体領域７４−２の周囲を囲むように形成されている。
【００４５】
以下、信号取り出し部６５−１および信号取り出し部６５−２を特に区別する必要のない場合、単に信号取り出し部６５とも称する。
【００４６】
また、以下、N＋半導体領域７１−１およびN＋半導体領域７１−２を特に区別する必要のない場合、単にN＋半導体領域７１とも称し、N−半導体領域７２−１およびN−半導体領域７２−２を特に区別する必要のない場合、単にN−半導体領域７２とも称する。
【００４７】
さらに、以下、P＋半導体領域７３−１およびP＋半導体領域７３−２を特に区別する必要のない場合、単にP＋半導体領域７３とも称し、P−半導体領域７４−１およびP−半導体領域７４−２を特に区別する必要のない場合、単にP−半導体領域７４とも称する。
【００４８】
半導体基板６１の光入射面側の界面には、正の固定電荷を持つ膜を積層して光入射面全体を覆うP＋半導体領域７５が形成されている。
【００４９】
一方、オンチップレンズ６２が画素毎に形成されている半導体基板６１の光入射面側とは反対側には、多層配線層９１が形成されている。言い換えれば、オンチップレンズ６２と多層配線層９１との間に、半導体層である半導体基板６１が配置されている。多層配線層９１は、５層の金属膜M１乃至M５と、その間の層間絶縁膜９２とで構成される。なお、図２では、多層配線層９１の５層の金属膜M１乃至M５のうち、最も外側の金属膜M５が見えない場所にあるため図示されていないが、後述する図１１において図示されている。
【００５０】
多層配線層９１の５層の金属膜M１乃至M５のうち、最も半導体基板６１に近い金属膜M１には、P＋半導体領域７３−１または７３−２に所定の電圧を印加するための電圧印加配線９３、および、入射光を反射する部材である反射部材９４が含まれる。
【００５１】
したがって、図１の受光素子１は、半導体基板６１の光入射面が、多層配線層９１側と反対側の、いわゆる裏面となっており、裏面照射型のCAPDセンサである。
【００５２】
半導体基板６１に設けられたN＋半導体領域７１は、外部から画素５１に入射してきた光の光量、すなわち半導体基板６１による光電変換により発生した信号キャリアの量を検出するための電荷検出部として機能する。なお、N＋半導体領域７１の他に、ドナー不純物濃度が低いN−半導体領域７２も含めて電荷検出部とみなすこともできる。
【００５３】
また、P＋半導体領域７３は、多数キャリア電流を半導体基板６１に注入するための、すなわち半導体基板６１に直接電圧を印加して半導体基板６１内に電界を発生させるための電圧印加部として機能する。なお、P＋半導体領域７３の他に、アクセプター不純物濃度が低いP−半導体領域７４も含めて電圧印加部とみなすこともできる。
【００５４】
図３は、画素５１における信号取り出し部６５の平面形状の例を示す平面図である。
【００５５】
平面視において、信号取り出し部６５は、中心に配置された電圧印加部としてのP＋半導体領域７３と、その周囲を囲むように配置された、電荷検出部としてのN＋半導体領域７１を有する。なお、図３では、N＋半導体領域７１およびP＋半導体領域７３の外形形状が、八角形状の例を示しているが、正方形状、矩形形状、円形状など、その他の平面形状でもよい。
【００５６】
また、画素５１内において、信号取り出し部６５−１および６５−２は、画素中心部に対して対称な位置に配置されている。
【００５７】
図３に示されているＡ−Ａ’線は、図２および後述する図１０の断面線を示し、Ｂ−Ｂ’線は、後述する図１１の断面線を示している。
【００５８】
＜画素の等価回路構成例＞
図４は、画素５１の等価回路を示している。
【００５９】
画素５１は、N＋半導体領域７１−１およびP＋半導体領域７３−１等を含む信号取り出し部６５−１に対して、転送トランジスタ１０１A、FD１０２A、付加容量１０３A、切替トランジスタ１０４A、リセットトランジスタ１０５A、増幅トランジスタ１０６A、及び、選択トランジスタ１０７Aを有する。
【００６０】
また、画素５１は、N＋半導体領域７１−２およびP＋半導体領域７３−２等を含む信号取り出し部６５−２に対して、転送トランジスタ１０１B、FD１０２B、付加容量１０３B、切替トランジスタ１０４B、リセットトランジスタ１０５B、増幅トランジスタ１０６B、及び、選択トランジスタ１０７Bを有する。
【００６１】
垂直駆動部２２は、P＋半導体領域７３−１に所定の電圧MIX0（第１の電圧）を印加し、P＋半導体領域７３−２に所定の電圧MIX1（第２の電圧）を印加する。例えば、電圧MIX0およびMIX１の一方が１．５Vで、他方が０Vである。P＋半導体領域７３−１および７３−２は、第１の電圧または第２の電圧が印加される電圧印加部である。
【００６２】
N＋半導体領域７１−１および７１−２は、半導体基板６１に入射された光が光電変換されて生成された電荷を検出して、蓄積する電荷検出部である。
【００６３】
転送トランジスタ１０１Aは、ゲート電極に供給される駆動信号TRGがアクティブ状態になるとこれに応答して導通状態になることで、N＋半導体領域７１−１に蓄積されている電荷をFD１０２Aに転送する。転送トランジスタ１０１Bは、ゲート電極に供給される駆動信号TRGがアクティブ状態になるとこれに応答して導通状態になることで、N＋半導体領域７１−２に蓄積されている電荷をFD１０２Bに転送する。
【００６４】
FD１０２Aは、N＋半導体領域７１−１から供給された電荷を一時保持する。FD１０２Bは、N＋半導体領域７１−２から供給された電荷を一時保持する。
【００６５】
切替トランジスタ１０４Aは、ゲート電極に供給される駆動信号FDGがアクティブ状態になるとこれに応答して導通状態になることで、付加容量１０３Aを、FD１０２Aに接続させる。切替トランジスタ１０４Bは、ゲート電極に供給される駆動信号FDGがアクティブ状態になるとこれに応答して導通状態になることで、付加容量１０３Bを、FD１０２Bに接続させる。
【００６６】
垂直駆動部２２は、例えば、入射光の光量が多い高照度のとき、切替トランジスタ１０４Aおよび１０４Bをアクティブ状態として、FD１０２Aと付加容量１０３Aを接続するとともに、FD１０２Bと付加容量１０３Bを接続する。これにより、高照度時に、より多くの電荷を蓄積することができる。
【００６７】
一方、入射光の光量が少ない低照度のときには、垂直駆動部２２は、切替トランジスタ１０４Aおよび１０４Bを非アクティブ状態として、付加容量１０３Aおよび１０３Bを、それぞれ、FD１０２Aおよび１０２Bから切り離す。
【００６８】
リセットトランジスタ１０５Aは、ゲート電極に供給される駆動信号RSTがアクティブ状態になるとこれに応答して導通状態になることで、FD１０２Aの電位を所定のレベル（リセット電圧VDD）にリセットする。リセットトランジスタ１０５Bは、ゲート電極に供給される駆動信号RSTがアクティブ状態になるとこれに応答して導通状態になることで、FD１０２Bの電位を所定のレベル（リセット電圧VDD）にリセットする。なお、リセットトランジスタ１０５Aおよび１０５Bがアクティブ状態とされるとき、転送トランジスタ１０１Aおよび１０１Bも同時にアクティブ状態とされる。
【００６９】
増幅トランジスタ１０６Aは、ソース電極が選択トランジスタ１０７Aを介して垂直信号線２９Aに接続されることにより、垂直信号線２９Aの一端に接続されている定電流源回路部１０８Aの負荷MOSとソースフォロワ回路を構成する。増幅トランジスタ１０６Bは、ソース電極が選択トランジスタ１０７Bを介して垂直信号線２９Bに接続されることにより、垂直信号線２９Bの一端に接続されている定電流源回路部１０８Bの負荷MOSとソースフォロワ回路を構成する。
【００７０】
選択トランジスタ１０７Aは、増幅トランジスタ１０６Aのソース電極と垂直信号線２９Aとの間に接続されている。選択トランジスタ１０７Aは、ゲート電極に供給される選択信号SELがアクティブ状態になるとこれに応答して導通状態となり、増幅トランジスタ１０６Aから出力される画素信号を垂直信号線２９Aに出力する。
【００７１】
選択トランジスタ１０７Bは、増幅トランジスタ１０６Bのソース電極と垂直信号線２９Bとの間に接続されている。選択トランジスタ１０７Bは、ゲート電極に供給される選択信号SELがアクティブ状態になるとこれに応答して導通状態となり、増幅トランジスタ１０６Bから出力される画素信号を垂直信号線２９Bに出力する。
【００７２】
画素５１の転送トランジスタ１０１Aおよび１０１B、リセットトランジスタ１０５Aおよび１０５B、増幅トランジスタ１０６Aおよび１０６B、並びに、選択トランジスタ１０７Aおよび１０７Bは、例えば、垂直駆動部２２によって制御される。
【００７３】
図４の等価回路において、付加容量１０３Aおよび１０３Bと、その接続を制御する切替トランジスタ１０４Aおよび１０４Bは省略してもよいが、付加容量１０３を設け、入射光量に応じて使い分けることにより、高ダイナミックレンジを確保することができる。
【００７４】
＜画素の電荷検出動作＞
図２を再び参照して、画素５１の検出動作について説明する。
【００７５】
例えば間接ToF方式により対象物までの距離を測定しようとする場合、受光素子１が設けられた撮像装置から対象物に向けて赤外光が射出される。そして、その赤外光が対象物で反射されて反射光として撮像装置に戻ってくると、受光素子１は入射してきた反射光（赤外光）を受光して光電変換する。
【００７６】
このとき、垂直駆動部２２は、画素５１を駆動させ、光電変換により得られた電荷を、一方の電荷検出部（第１の電荷検出部）であるN＋半導体領域７１−１と接続されたFD１０２Aと、他方の電荷検出部（第２の電荷検出部）であるN＋半導体領域７１−２と接続されたFD１０２Bとに振り分ける。
【００７７】
より具体的には、あるタイミングにおいて、垂直駆動部２２は、電圧印加配線９３等を介して２つのP＋半導体領域７３に所定の電圧を印加する。例えば、垂直駆動部２２は、P＋半導体領域７３−１に1.5Vの電圧を印加し、P＋半導体領域７３−２には0Vの電圧を印加する。
【００７８】
すると、半導体基板６１における２つのP＋半導体領域７３の間に電界が発生し、P＋半導体領域７３−１からP＋半導体領域７３−２へと電流が流れる。この場合、半導体基板６１内の正孔（ホール）はP＋半導体領域７３−２の方向へと移動し、電子はP＋半導体領域７３−１の方向へと移動する。
【００７９】
したがって、このような状態でオンチップレンズ６２を介して外部からの赤外光（反射光）が半導体基板６１内に入射し、その赤外光が半導体基板６１内で光電変換されて電子と正孔のペアに変換されると、得られた電子は、P＋半導体領域７３間の電界によりP＋半導体領域７３−１の方向へと導かれ、N＋半導体領域７１−１内へと移動する。
【００８０】
この場合、光電変換で発生した電子が、画素５１に入射した赤外光の量、すなわち赤外光の受光量に応じた信号を検出するための信号キャリアとして用いられる。
【００８１】
これにより、N＋半導体領域７１−１には、N＋半導体領域７１−１内へと移動してきた電子に応じた電荷が検出され、FD１０２Aに蓄積される。切替トランジスタ１０４Aがアクティブ状態である場合には、付加容量１０３Aにも蓄積される。この電荷に応じた信号が、画素５１が選択された場合に、垂直信号線２９A等を介してカラム処理部２３に出力される。
【００８２】
そして、読み出された信号に対して、カラム処理部２３においてAD変換処理等の処理が施され、その結果得られた画素信号が信号処理部２６へと供給される。この画素信号は、N＋半導体領域７１−１により検出された電荷の量を示す信号、換言すれば、画素５１で受光された赤外光の光量を示す信号である。
【００８３】
なお、このときN＋半導体領域７１−１における場合と同様にしてN＋半導体領域７１−２で検出された電荷に応じた画素信号も適宜測距に用いられるようにしてもよい。
【００８４】
また、次のタイミングでは、これまで半導体基板６１内で生じていた電界と反対方向の電界が発生するように、垂直駆動部２２によって、２つのP＋半導体領域７３に電圧が印加される。具体的には、例えば、P＋半導体領域７３−１に0Vの電圧が印加され、P＋半導体領域７３−２に1.5Vの電圧が印加される。
【００８５】
これにより、半導体基板６１における２つのP＋半導体領域７３の間で電界が発生し、P＋半導体領域７３−２からP＋半導体領域７３−１へと電流が流れる。
【００８６】
このような状態でオンチップレンズ６２を介して外部からの赤外光（反射光）が半導体基板６１内に入射し、その赤外光が半導体基板６１内で光電変換されて電子と正孔のペアに変換されると、得られた電子はP＋半導体領域７３間の電界によりP＋半導体領域７３−２の方向へと導かれ、N＋半導体領域７１−２内へと移動する。
【００８７】
これにより、N＋半導体領域７１−２には、N＋半導体領域７１−２内へと移動してきた電子に応じた電荷が検出され、FD１０２Bに蓄積される。切替トランジスタ１０４Bがアクティブ状態である場合には、付加容量１０３Bにも蓄積される。この電荷に応じた信号が、画素５１が選択された場合に、垂直信号線２９B等を介してカラム処理部２３に出力される。
【００８８】
そして、読み出された信号に対して、カラム処理部２３においてAD変換処理等の処理が施され、その結果得られた画素信号が信号処理部２６へと供給される。この画素信号は、N＋半導体領域７１−2により検出された電荷の量を示す信号、換言すれば、画素５１で受光された赤外光の光量を示す信号である。
【００８９】
なお、このときN＋半導体領域７１−２における場合と同様にしてN＋半導体領域７１−１で検出された電子に応じた画素信号も適宜測距に用いられるようにしてもよい。
【００９０】
このようにして、同じ画素５１において互いに異なる期間の光電変換で得られた画素信号が得られると、信号処理部２６は、それらの画素信号に基づいて対象物までの距離を示す距離情報を算出し、後段へと出力する。
【００９１】
このように互いに異なるN＋半導体領域７１へと信号キャリアを振り分けて、それらの信号キャリアに応じた信号に基づいて距離情報を算出する方法は、間接ToF方式と呼ばれている。
【００９２】
ここで、光電変換で得られた電荷（電子）に応じた信号の読み出しが行われる方の信号取り出し部６５、つまり光電変換で得られた電荷が検出されるべき信号取り出し部６５をアクティブタップ（active tap）とも称する。
【００９３】
逆に、基本的には光電変換で得られた電荷に応じた信号の読み出しが行われない方の信号取り出し部６５、つまりアクティブタップではない方の信号取り出し部６５をイナクティブタップ（inactive tap）とも称する。
【００９４】
上述の例では、P＋半導体領域７３に1.5Vの電圧が印加される方の信号取り出し部６５がアクティブタップであり、P＋半導体領域７３に0Vの電圧が印加される方の信号取り出し部６５がイナクティブタップである。
【００９５】
CAPDセンサでは、測距精度の指標となるCmod（Contrast between active and inactive tap）と呼ばれる値がある。Cmodは、以下の式（１）で計算される。式（１）において、I0は、２つの電荷検出部（P＋半導体領域７３）の一方で検出される信号であり、I1は、他方で検出される信号である。
Cmod＝｛｜I0−I1｜／（I0＋I1）｝ｘ１００・・・（１）
【００９６】
Cmodは、入射した赤外光の光電変換で発生した電荷のうちの何％分の電荷がアクティブタップである信号取り出し部６５のN＋半導体領域７１で検出できるか、つまり電荷に応じた信号を取り出せるかを表す指標であり、電荷分離効率を示している。
【００９７】
例えば外部から入射した赤外光がイナクティブタップの領域に入射し、そのイナクティブタップ内で光電変換が行われると、光電変換により発生した信号キャリアである電子が、イナクティブタップ内のN＋半導体領域７１に移動してしまう可能性が高い。そうすると、光電変換により得られた一部の電子の電荷がアクティブタップ内のN＋半導体領域７１で検出されなくなり、Cmod、つまり電荷分離効率が低下してしまう。
【００９８】
そこで、画素５１では、２つの信号取り出し部６５から略等距離の位置にある画素５１の中心部分付近に赤外光が集光されるようにすることで、外部から入射した赤外光がイナクティブタップの領域で光電変換されてしまう確率を低減させ、電荷分離効率を向上させている。また、画素５１ではModulation contrastも向上させることができる。換言すれば、光電変換により得られた電子がアクティブタップ内のN＋半導体領域７１へと誘導され易くすることができる。
【００９９】
＜受光素子１の効果＞
以上の受光素子１によれば、以下のような効果を奏することができる。
【０１００】
すなわち、まず受光素子１は裏面照射型であることから、量子効率（QE）×開口率（FF(Fill Factor)）を最大化することができ、受光素子１による測距特性を向上させることができる。
【０１０１】
例えば図５の矢印Ｗ１１に示すように、通常の表面照射型のイメージセンサ（CIS）は、光電変換部であるPD１１１における外部からの光が入射する光入射面側に配線１１２や配線１１３が形成された構造となっている。
【０１０２】
そのため、例えば矢印Ａ２１や矢印Ａ２２に示すように、ある程度の角度を持ってPD１１１に対して斜めに入射してくる光の一部は、配線１１２や配線１１３に遮られてPD１１１に入射されないようなことが生じる。
【０１０３】
これに対して、裏面照射型のイメージセンサ（CIS）は、例えば矢印Ｗ１２に示すように、光電変換部であるPD１１４における外部からの光が入射する光入射面とは反対側の面上に配線１１５や配線１１６が形成された構造となっている。
【０１０４】
そのため、表面照射型における場合と比較して十分な開口率を確保することができる。
すなわち、例えば矢印Ａ２３や矢印Ａ２４に示すように、ある程度の角度を持ってPD１１４に対して斜めに入射してくる光は配線に遮られることなくPD１１４に入射する。これにより、より多くの光を受光して画素の感度を向上させることができる。
【０１０５】
このような裏面照射型とすることにより得られる画素感度の向上効果は、裏面照射型のCAPDセンサである受光素子１においても得ることができる。
【０１０６】
また、例えば表面照射型のCAPDセンサでは、矢印Ｗ１３に示すように光電変換部であるPD１２１の内部における外部からの光が入射する光入射面側にタップと呼ばれる信号取り出し部１２２、より詳細にはタップのP＋半導体領域やN＋半導体領域が形成されている。また、表面照射型のCAPDセンサは、光入射面側に配線１２３や、信号取り出し部１２２に接続されたコンタクトやメタルなどの配線１２４が形成された構造となっている。
【０１０７】
そのため、例えば矢印Ａ２５や矢印Ａ２６に示すように、ある程度の角度を持ってPD１２１に対して斜めに入射してくる光の一部が配線１２３等に遮られてPD１２１に入射されないだけでなく、矢印Ａ２７に示すようにPD１２１に対して垂直に入射してくる光も配線１２４に遮られてPD１２１に入射されないようなことが生じる。
【０１０８】
これに対して、裏面照射型のCAPDセンサは、例えば矢印Ｗ１４に示すように、光電変換部であるPD１２５における外部からの光が入射する光入射面とは反対側の面の部分に信号取り出し部１２６が形成された構造となっている。また、PD１２５における光入射面とは反対側の面上には配線１２７や、信号取り出し部１２６に接続されたコンタクトやメタルなどの配線１２８が形成されている。
【０１０９】
ここで、PD１２５は図２に示した半導体基板６１に対応し、信号取り出し部１２６は図２に示した信号取り出し部６５に対応する。
【０１１０】
このような構造の裏面照射型のCAPDセンサでは、表面照射型における場合と比較して十分な開口率を確保することができる。したがって、量子効率（QE）×開口率（FF）を最大化することができ、測距特性を向上させることができる。
【０１１１】
すなわち、例えば矢印Ａ２８や矢印Ａ２９に示すように、ある程度の角度を持ってPD１２５に対して斜めに入射してくる光は配線に遮られることなくPD１２５に入射する。同様に、矢印Ａ３０に示すようにPD１２５に対して垂直に入射してくる光も配線等に遮られることなくPD１２５に入射する。
【０１１２】
このように、裏面照射型のCAPDセンサでは、ある程度の角度を持って入射してくる光だけでなく、PD１２５に対して垂直に入射してくる、表面照射型では信号取り出し部（タップ）に接続された配線等で反射されていた光も受光することができる。これにより、より多くの光を受光して画素の感度を向上させることができる。換言すれば、量子効率（QE）×開口率（FF）を最大化することができ、その結果、測距特性を向上させることができる。
【０１１３】
特に、画素外縁ではなく、画素の中央近傍にタップが配置されている場合、表面照射型のCAPDセンサでは、十分な開口率を確保することができず画素の感度が低下してしまうが、裏面照射型のCAPDセンサである受光素子１ではタップの配置位置によらず十分な開口率を確保することができ、画素の感度を向上させることができる。
【０１１４】
また、裏面照射型の受光素子１では、半導体基板６１における、外部からの赤外光が入射する光入射面とは反対側の面近傍に信号取り出し部６５が形成されるため、イナクティブタップの領域での赤外光の光電変換の発生を低減させることができる。これにより、Cmod、つまり電荷分離効率を向上させることができる。
【０１１５】
図６は、表面照射型と裏面照射型のCAPDセンサの画素断面図を示している。
【０１１６】
図６左側の表面照射型のCAPDセンサでは、図中、半導体基板１４１の上側が、光入射面であり、半導体基板１４１の光入射面側に、複数層の配線を含む配線層１５２、画素間遮光部１５３、および、オンチップレンズ１５４が積層されている。
【０１１７】
図６右側の裏面照射型のCAPDセンサでは、図中、光入射面とは反対側となる基板１４２の下側に、複数層の配線を含む配線層１５２が形成されており、光入射面側である基板１４２の上側に、画素間遮光部１５３、および、オンチップレンズ１５４が積層されている。
【０１１８】
なお、図６においてグレーの台形形状は、赤外光がオンチップレンズ１５４で集光されることにより、光強度が強い領域を示している。
【０１１９】
例えば、表面照射型のCAPDセンサでは、半導体基板１４１の光入射面側にイナクティブタップおおびアクティブタップが存在する領域Ｒ１１がある。このため、イナクティブタップに直接入射する成分が多く、イナクティブタップの領域で光電変換が行われると、その光電変換で得られた信号キャリアはアクティブタップのN＋半導体領域で検出されなくなる。
【０１２０】
表面照射型のCAPDセンサでは、半導体基板１４１の光入射面近傍の領域Ｒ１１では赤外光の強度は強いため、領域Ｒ１１内で赤外光の光電変換が行われる確率が高くなる。つまり、イナクティブタップ近傍に入射する赤外光の光量は多いため、アクティブタップで検出できなくなってしまう信号キャリアが多くなり、電荷分離効率が低下してしまう。
【０１２１】
これに対して、裏面照射型のCAPDセンサでは、基板１４２の光入射面から遠い位置、つまり光入射面側とは反対側の面近傍の位置に、イナクティブタップおおびアクティブタップが存在する領域Ｒ１２がある。この基板１４２は、図２に示した半導体基板６１に対応する。
【０１２２】
この例では、基板１４２の光入射面側とは反対側の面の部分に領域Ｒ１２があり、領域Ｒ１２は光入射面から遠い位置にあるため、その領域Ｒ１２近傍では、入射した赤外光の強度は比較的弱くなっている。
【０１２３】
基板１４２の中心付近や入射面近傍などの赤外光の強度が強い領域において光電変換により得られた信号キャリアは、基板１４２内で発生した電界によってアクティブタップへと導かれ、アクティブタップのN＋半導体領域で検出される。
【０１２４】
一方、イナクティブタップを含む領域Ｒ１２近傍では、入射した赤外光の強度は比較的弱いので、領域Ｒ１２内で赤外光の光電変換が行われる確率は低くなる。つまり、イナクティブタップ近傍に入射する赤外光の光量は少ないため、イナクティブタップ近傍での光電変換により発生し、イナクティブタップのN＋半導体領域へと移動してしまう信号キャリア（電子）の数は少なくなり、電荷分離効率を向上させることができる。結果として測距特性を改善することができる。
【０１２５】
さらに、裏面照射型の受光素子１では、半導体基板６１の薄層化を実現することができるので、信号キャリアである電子（電荷）の取り出し効率を向上させることができる。
【０１２６】
例えば、表面照射型のCAPDセンサでは開口率を十分に確保できないため、図７の矢印Ｗ３１に示すように、より高い量子効率を確保し、量子効率×開口率の低下を抑制するために基板１７１をある程度厚くする必要がある。
【０１２７】
そうすると、基板１７１内における光入射面とは反対側の面近傍の領域、例えば図７の領域Ｒ２１の部分においてポテンシャルの傾斜が緩やかになり、実質的に基板１７１と垂直な方向の電界が弱くなってしまう。この場合、信号キャリアの移動速度が遅くなるので、光電変換が行われてからアクティブタップのN＋半導体領域で信号キャリアが検出されるまでに必要となる時間が長くなってしまう。なお、図７では、基板１７１内の矢印は、基板１７１における基板１７１と垂直な方向の電界を表している。
【０１２８】
また、基板１７１が厚いと、基板１７１内のアクティブタップから遠い位置から、アクティブタップ内のN＋半導体領域までの信号キャリアの移動距離が長くなる。したがって、アクティブタップから遠い位置では、光電変換が行われてからアクティブタップのN＋半導体領域で信号キャリアが検出されるまでに必要となる時間がさらに長くなってしまう。
【０１２９】
図８は、基板１７１の厚み方向の位置と、信号キャリアの移動速度との関係を示している。領域Ｒ２１は拡散電流領域に対応する。
【０１３０】
このように基板１７１が厚くなると、例えば駆動周波数が高いとき、つまりタップ（信号取り出し部）のアクティブとイナクティブの切り替えを高速で行うときに、領域Ｒ２１などのアクティブタップから遠い位置で発生した電子を完全にアクティブタップのN＋半導体領域に引き込みきれなくなってしまう。すなわち、タップがアクティブとなっている時間が短いと、領域Ｒ２１内等で発生した電子（電荷）をアクティブタップのN＋半導体領域で検出できなくなってしまうことが生じ、電子の取り出し効率が低下する。
【０１３１】
これに対して裏面照射型のCAPDセンサでは、十分な開口率を確保できることから、例えば図７の矢印Ｗ３２に示すように基板１７２を薄くしても十分な量子効率×開口率を確保することができる。ここで、基板１７２は図２の半導体基板６１に対応し、基板１７２内の矢印は、基板１７２と垂直な方向の電界を表している。
【０１３２】
図９は、基板１７２の厚み方向の位置と、信号キャリアの移動速度との関係を示している。
【０１３３】
このように基板１７２における基板１７２と垂直な方向の厚さを薄くすると、実質的に基板１７２と垂直な方向の電界が強くなり、信号キャリアの移動速度が速いドリフト電流領域のみの電子（電荷）のみが使用され、信号キャリアの移動速度が遅い拡散電流領域の電子は使用されない。ドリフト電流領域のみの電子（電荷）のみを使用することで、光電変換が行われてからアクティブタップのN＋半導体領域で信号キャリアが検出されるまでに必要となる時間が短くなる。また、基板１７２の厚さが薄くなると、信号キャリアのアクティブタップ内のN＋半導体領域までの移動距離も短くなる。
【０１３４】
これらのことから、裏面照射型のCAPDセンサでは、駆動周波数が高いときでも基板１７２内の各領域で発生した信号キャリア（電子）をアクティブタップのN＋半導体領域に十分に引き込むことができ、電子の取り出し効率を向上させることができる。
【０１３５】
また、基板１７２の薄層化により高い駆動周波数でも十分な電子の取り出し効率を確保することができ、高速駆動耐性を向上させることができる。
【０１３６】
特に、裏面照射型のCAPDセンサでは、基板１７２、すなわち半導体基板６１に対して直接、電圧を印加することができるので、タップのアクティブおよびイナクティブの切り替えの応答速度が速く、高い駆動周波数で駆動させることができる。また、半導体基板６１に対して直接、電圧を印加することができるので、半導体基板６１内の変調可能な領域が広くなる。
【０１３７】
さらに、裏面照射型の受光素子１（CAPDセンサ）では、十分な開口率を得ることができるので、その分だけ画素を微細化することができ、画素の微細化耐性を向上させることができる。
【０１３８】
その他、受光素子１では裏面照射型とすることでBEOL（Back End Of Line）容量設計の自由化が可能となり、これにより飽和信号量（Qs）の設計自由度を向上させることができる。
【０１３９】
＜複数画素の断面図＞
図１０および図１１は、上述した画素５１が複数（３個）並んだ状態の断面図を示している。
【０１４０】
図１０は、図２の断面図と同じ断面方向であって、図３のＡ−Ａ’線に対応する断面図を示し、図１１は、図３のＢ−Ｂ’線に対応する断面図を示している。
【０１４１】
図１０は、図２の断面図と同様であるので、説明は省略する。
【０１４２】
図１１については、図１０と異なる部分について説明する。
【０１４３】
図１１において、多層配線層９１の半導体基板６１との界面部分の画素境界領域には、画素トランジスタTrが形成されている。画素トランジスタTrは、図４で示した転送トランジスタ１０１、切替トランジスタ１０４、リセットトランジスタ１０５、増幅トランジスタ１０６、または、選択トランジスタ１０７のいずれかである。
【０１４４】
また、金属膜M１には、電圧印加部としてのP＋半導体領域７３に所定の電圧を印加するための電圧印加配線９３の他、電荷検出部であるN＋半導体領域７１の一部と接続された信号取り出し配線９５が形成されている。信号取り出し配線９５は、N＋半導体領域７１で検出された電荷をFD１０２に伝送する。
【０１４５】
金属膜M１の電圧印加配線９３は、図１１に示されるように、ビアを介して金属膜M４の配線９６−１または９６−２のいずれか一方と電気的に接続されている。金属膜M４の配線９６−１は、金属膜M５の配線９７−１と、所定の箇所（図１１では不図示の箇所）でビアを介して接続され、金属膜M４の配線９６−２は、金属膜M５の配線９７−２と、所定の箇所でビアを介して接続されている。
【０１４６】
図１２のAは、金属膜M４の平面図を示し、図１２のBは、金属膜M５の平面図を示している。
【０１４７】
図１２のAおよびBでは、画素５１の領域と、図３に示した八角形状を有する信号取り出し部６５−１および６５−２の領域が、破線で示されている。図１２のAおよびBにおいて、図面の縦方向が、画素アレイ部２１の垂直方向であり、図面の横方向が、画素アレイ部２１の水平方向である。
【０１４８】
信号取り出し部６５−１の電圧印加部であるP＋半導体領域７３は、ビアを介して金属膜M４の配線９６−１に接続され、配線９６−１は、金属膜M５の配線９７−１と配線領域が重なる所定の領域でビア等を介して接続されている。
【０１４９】
同様に、信号取り出し部６５−２の電圧印加部であるP＋半導体領域７３は、ビアを介して金属膜M４の配線９６−２に接続され、配線９６−２は、金属膜M５の配線９７−２と配線領域が重なる所定の領域でビア等を介して接続されている。
【０１５０】
画素アレイ部２１の周辺の周辺回路部の駆動部からの所定の電圧（電圧MIX0またはMIX１）が、金属膜M５の配線９７−１および９７−２を伝送して、金属膜M４の配線９６−１および９６−２に供給される。そして、金属膜M４の配線９６−１および９６−２から、金属膜M３およびM２を介して金属膜M１の電圧印加配線９３に供給され、電圧印加部であるP＋半導体領域７３に供給される。
【０１５１】
＜２．基本画素構造の改善の必要性＞
以上、本技術が適用される受光素子の基本構造について説明した。以下、上述した基本構造を有する受光素子に対して、本技術を適用した受光素子の構成について説明する。
【０１５２】
本技術を適用した受光素子は、上述した受光素子１の基本構造に対して、画素５１の多層配線層９１の構造の一部を改良した受光素子となる。以下では、受光素子１の画素５１に本技術を適用して改良した画素構造を画素２０１として説明する。なお、図２の画素５１と対応する部分については同一の符号を付して、その説明は適宜省略する。
【０１５３】
上述した受光素子１の画素５１の構造では、図２等を参照して説明したように、多層配線層９１内の最も半導体基板６１に近い金属膜M１に、入射光を反射する部材である反射部材９４を設けることによって、光電変換領域である半導体基板６１を通過してしまった光を、半導体基板６１側へ反射させることで、光電変換に寄与する光の効率を増やす構造が採用されていた。
【０１５４】
画素５１の構造では、反射部材９４を用いた反射構造の追加によって、電荷検出部近傍の光電変換効率も上がり、電圧スイッチングに追従しない電荷が増えてしまった場合、CAPDセンサの信号コントラストを表すCmodが低下し、改善効果が低減されてしまう可能性がある。
【０１５５】
そこで、以下では、受光素子１の基本構造の特徴を備えつつ、電荷検出部近傍において、電圧スイッチングに追従しないまま、電荷検出部で検出されてしまう電荷を抑制することにより、測距精度を向上させる画素構造を提案する。
【０１５６】
＜３．画素の第１実施の形態＞
図１３は、本技術を適用した画素の第１実施の形態の画素構造を示す断面図である。
【０１５７】
図１３は、図２に示した画素５１と同じ断面方向の断面図を示している。以下、説明する図１４乃至図２７についても同様である。
【０１５８】
図１３の第１実施の形態に係る画素２０１は、図２の画素５１と比較すると、多層配線層９１が形成されている半導体基板６１の表面側界面と、金属膜M１の配線層との間に、ポリシリコンによる反射抑制膜２１１が新たに形成されている点が異なる。より詳しくは、反射抑制膜２１１は、図１３において電荷検出部であるN＋半導体領域７１の下側、換言すれば、N＋半導体領域７１と金属膜M１の配線層との間に形成されており、反射抑制膜２１１が形成されている平面領域は、例えば、電荷検出部であるN＋半導体領域７１と同様に、八角形形状となっている。
【０１５９】
ポリシリコンによる反射抑制膜２１１は、図１１に示した画素トランジスタTr、すなわち、画素境界領域に形成される画素トランジスタTrのゲート電極と同じ工程で形成することができる。
【０１６０】
光は深く侵入するほど減衰する為、反射光も表面側で反射された光の方が、強度が高いことになる。このように、半導体基板６１の表面側界面と金属膜M１との間に、ポリシリコンによる反射抑制膜２１１を形成することにより、図１４に示されるように、半導体基板６１を通過してしまった光が半導体基板６１側へ反射されることを反射抑制膜２１１が抑制することができるので、入射光が反射部材９４で反射して電荷検出部に直接取り込まれる電荷（電子）を低減することができる。その結果、電荷検出部近傍において、電圧スイッチングに追従しないまま、電荷検出部で検出されてしまう電荷を抑制することができ、測距精度を向上させることができる。
【０１６１】
＜４．画素の第２実施の形態＞
図１５は、本技術を適用した画素の第２実施の形態の画素構造を示す断面図である。
【０１６２】
図１５の第２実施の形態に係る画素２０１は、図２の画素５１と比較すると、多層配線層９１が形成されている半導体基板６１の表面側界面と、金属膜M１の配線層との間に、ポリシリコン以外の材料を用いた反射抑制膜２１２が新たに形成されている点が異なる。反射抑制膜２１２の材料は、層間絶縁膜９２であるSiO2よりも光の反射率が低い膜であればよく、例えば、SiN,SiCN等の窒化膜とされる。反射抑制膜２１２は、第１実施の形態の反射抑制膜２１１と同様に、図１５において電荷検出部であるN＋半導体領域７１の下側、換言すれば、電荷検出部であるN＋半導体領域７１と、金属膜M１の配線層との間に形成されており、反射抑制膜２１２が形成されている平面領域は、例えば、電荷検出部であるN＋半導体領域７１と同様に、八角形形状とされる。
【０１６３】
このように、半導体基板６１の表面側界面と金属膜M１との間に、ポリシリコン以外の材料を用いた反射抑制膜２１２を形成することにより、第１実施の形態の反射抑制膜２１１と同様に、半導体基板６１を通過してしまった光が半導体基板６１側へ反射されることを反射抑制膜２１２が抑制することができるので、入射光が反射部材９４で反射して電荷検出部に直接取り込まれる電荷（電子）を低減することができる。その結果、電荷検出部近傍において、電圧スイッチングに追従しないまま、電荷検出部で検出されてしまう電荷を抑制することができ、測距精度を向上させることができる。
【０１６４】
＜５．画素の第３実施の形態＞
図１６は、本技術を適用した画素の第３実施の形態の画素構造を示す断面図である。
【０１６５】
図１６の第３実施の形態に係る画素２０１は、図２の画素５１と比較すると、多層配線層９１の金属膜M１の配線層の反射部材９４が、反射部材２１３に置き換えられている点が異なる。
【０１６６】
図２の画素５１の反射部材９４は、電荷検出部であるN＋半導体領域７１の下側の領域にも形成されていたが、図１６の反射部材２１３は、N＋半導体領域７１の下側の領域には形成されていない点が、反射部材９４と異なる。
【０１６７】
このように、多層配線層９１の金属膜M１に形成される反射部材２１３を、N＋半導体領域７１の下側の領域には配置しないようにすることにより、半導体基板６１を通過してしまった光が半導体基板６１側へ反射されることを抑制することができるので、入射光が反射部材２１３で反射して電荷検出部に直接取り込まれる電荷（電子）を低減することができる。その結果、電荷検出部近傍において、電圧スイッチングに追従しないまま、電荷検出部で検出されてしまう電荷を抑制することができ、測距精度を向上させることができる。
【０１６８】
＜６．画素の第４実施の形態＞
図１７は、本技術を適用した画素の第４実施の形態の画素構造を示す断面図である。
【０１６９】
図１７の第４実施の形態に係る画素２０１は、図１３乃至図１６に示した第１実施の形態乃至第３実施の形態に係る構成を全て備えた構造を有する。すなわち、画素２０１は、図１３に示した反射抑制膜２１１、図１５に示した反射抑制膜２１２、図１６に示した反射部材２１３を備え、その他の構造は、図２の画素５１と同様である。
【０１７０】
このように、第１実施の形態乃至第３実施の形態に係る反射抑制膜２１１、反射抑制膜２１２、および、反射部材２１３を備えることにより、半導体基板６１を通過してしまった光が半導体基板６１側へ反射されることを抑制することができるので、半導体基板６１を通過した光に対応する電荷が電荷検出部に直接取り込まれることをさらに低減することができる。その結果、電荷検出部近傍において、電圧スイッチングに追従しないまま、電荷検出部で検出されてしまう電荷を抑制することができ、測距精度を向上させることができる。
【０１７１】
（第４実施の形態の変形例）
なお、図１７の画素構造では、反射抑制膜２１２と金属膜M１の反射部材２１３の縦方向（基板深さ方向）の位置が、異なる位置とされている。
【０１７２】
しかしながら、図１８に示されるように、反射抑制膜２１２と金属膜M１の反射部材２１３の縦方向の位置を同じ位置としてもよい。
【０１７３】
あるいはまた、図１７の画素構造のように、反射抑制膜２１１、反射抑制膜２１２、および、反射部材２１３を異なる層位置に配置し、さらに、反射抑制膜２１２と同じ層の反射部材２１３の上方に、光を反射させる反射部材を別に設けてもよい。
【０１７４】
＜７．画素の第５実施の形態＞
図１９は、本技術を適用した画素の第５実施の形態の画素構造を示す断面図である。
【０１７５】
図１９の第５実施の形態に係る画素２０１は、図１３に示した第１実施の形態に係る構成に対して、埋め込み絶縁膜（STI）２３１をさらに追加した構造を有する。
【０１７６】
即ち、図１９の画素２０１では、N＋半導体領域７１とP＋半導体領域７３との間、および、N＋半導体領域７１の周囲に、埋め込み絶縁膜２３１が形成されている。埋め込み絶縁膜２３１は、N＋半導体領域７１とP＋半導体領域７３とを分離する。また、埋め込み絶縁膜２３１は、P型の半導体層からなる半導体基板６１とN＋半導体領域７１とを分離する。
【０１７７】
このように、N＋半導体領域７１およびP＋半導体領域７３の周囲に埋め込み絶縁膜２３１を形成することにより、N＋半導体領域７１とP＋半導体領域７３を確実に分離することができる他、図２０に示されるように、斜め光や、その反射光が光電変換された電荷が、電荷検出部に取り込まれることをさらに低減することができる。その結果、電荷検出部近傍において、電圧スイッチングに追従しないまま、電荷検出部で検出されてしまう電荷を抑制することができ、測距精度を向上させることができる。
【０１７８】
なお、図１９の第５実施の形態に係る画素２０１は、図１３に示した第１実施の形態に係る構成に対して、埋め込み絶縁膜２３１をさらに追加した構造であるが、上述した第２実施の形態乃至第４実施の形態およびそれらの変形例に対して、埋め込み絶縁膜２３１をさらに追加した構造も勿論可能である。この場合も、電荷検出部近傍において、電圧スイッチングに追従しないまま、電荷検出部で検出されてしまう電荷を抑制することができ、測距精度を向上させることができる。
【０１７９】
＜８．画素の第６実施の形態＞
図２１は、本技術を適用した画素の第６実施の形態の画素構造を示す断面図である。
【０１８０】
図２１の第６実施の形態に係る画素２０１は、図１３に示した第１実施の形態に係る構成に対して、埋め込み絶縁膜（STI）２３２をさらに追加した構造を有する。
【０１８１】
ここで、図１９に示した第５実施の形態に係る画素２０１と比較すると、図１９の画素２０１では、N＋半導体領域７１とP＋半導体領域７３との間、および、N＋半導体領域７１の周囲に、埋め込み絶縁膜２３１が形成され、画素中央部と画素境界部の半導体基板６１の界面近傍には、埋め込み絶縁膜２３１は形成されていなかった。
【０１８２】
これに対して、図２１の第６実施の形態に係る画素２０１では、画素中央部と画素境界部の半導体基板６１の界面近傍にも、埋め込み絶縁膜２３２が形成されている。より具体的には、画素中央部のN＋半導体領域７１−１と７１−２との間、画素境界近傍のN＋半導体領域７１−１と右隣りの画素２０１のN＋半導体領域７１−２（不図示）との間、および、画素境界近傍のN＋半導体領域７１−２と、左隣りの画素２０１のN＋半導体領域７１−１（不図示）との間にも、埋め込み絶縁膜２３２が形成されている。図１９に示した第５実施の形態に係る画素２０１と同様に、N＋半導体領域７１とP＋半導体領域７３との間、および、N＋半導体領域７１の周囲にも、埋め込み絶縁膜２３２が形成されている。
【０１８３】
このように、N＋半導体領域７１およびP＋半導体領域７３の周囲に加えて、画素中央部と画素境界部の半導体基板６１の界面近傍にも、埋め込み絶縁膜２３２を形成することにより、図２２に示されるように、電荷検出部以外の画素中央部と画素境界部の入射光の反射率を向上させることができる。その結果、電荷検出部近傍において、電圧スイッチングに追従しないまま、電荷検出部で検出されてしまう電荷を抑制することができ、かつ、アクティブタップで検出される電荷を増大させて、測距精度を向上させることができる。
【０１８４】
なお、図２１の第６実施の形態に係る画素２０１は、図１３に示した第１実施の形態に係る構成に対して、埋め込み絶縁膜２３２をさらに追加した構造であるが、上述した第２実施の形態乃至第４実施の形態およびそれらの変形例に対して、埋め込み絶縁膜２３２をさらに追加した構造も勿論可能である。この場合も、電荷検出部近傍において、電圧スイッチングに追従しないまま、電荷検出部で検出されてしまう電荷を抑制することができ、かつ、アクティブタップで検出される電荷を増大させて、測距精度を向上させることができる。
【０１８５】
＜９．画素の第７実施の形態＞
図２３は、本技術を適用した画素の第７実施の形態の画素構造を示す断面図である。
【０１８６】
図２３の第７実施の形態に係る画素２０１は、図１９に示した第５実施の形態に係る構成の埋め込み絶縁膜２３２内に、遮光膜２４１をさらに追加した構造を有する。遮光膜２４１は、埋め込み絶縁膜２３２内に形成されるので、N＋半導体領域７１とP＋半導体領域７３との間、および、N＋半導体領域７１の周囲に形成されている。遮光膜２４１の材料には、例えば、タングステン（W）等の金属材料を用いることとするが、遮光性の材料であれば、これに限られない。
【０１８７】
このように、埋め込み絶縁膜２３１内に遮光膜２４１をさらに設けたことにより、図２４に示されるように、斜め光や、その反射光が光電変換された電荷が、電荷検出部に取り込まれることをさらに低減することができる。その結果、電荷検出部近傍において、電圧スイッチングに追従しないまま、電荷検出部で検出されてしまう電荷を抑制することができ、測距精度を向上させることができる。
【０１８８】
なお、図２３の第７実施の形態に係る画素２０１は、図１３に示した第１実施の形態に係る構成に対して、埋め込み絶縁膜２３１と遮光膜２４１をさらに追加した構造であるが、上述した第２実施の形態乃至第４実施の形態およびそれらの変形例に対して、図２３の埋め込み絶縁膜２３１と遮光膜２４１をさらに追加した構造も勿論可能である。この場合も、電荷検出部近傍において、電圧スイッチングに追従しないまま、電荷検出部で検出されてしまう電荷を抑制することができ、測距精度を向上させることができる。
【０１８９】
＜１０．画素の第８実施の形態＞
図２５は、本技術を適用した画素の第８実施の形態の画素構造を示す断面図である。
【０１９０】
図２５の第８実施の形態に係る画素２０１は、図２１に示した第６実施の形態に係る構成の埋め込み絶縁膜２３２内に、図２３に示した第７実施の形態の遮光膜２４１をさらに追加した構造を有する。
【０１９１】
このように、N＋半導体領域７１およびP＋半導体領域７３の周囲に加えて、画素中央部と画素境界部の半導体基板６１の界面近傍にも、埋め込み絶縁膜２３２を形成することにより、第６実施の形態と同様に、電荷検出部以外の画素中央部と画素境界部の入射光の反射率を向上させることができる。その結果、電荷検出部近傍において、電圧スイッチングに追従しないまま、電荷検出部で検出されてしまう電荷を抑制することができ、かつ、アクティブタップで検出される電荷を増大させて、測距精度を向上させることができる。
【０１９２】
また、埋め込み絶縁膜２３２内に遮光膜２４１をさらに設けたことにより、第７実施の形態と同様に、斜め光や、その反射光が光電変換された電荷が、電荷検出部に取り込まれることをさらに低減することができる。その結果、電荷検出部近傍において、電圧スイッチングに追従しないまま、電荷検出部で検出されてしまう電荷を抑制することができ、測距精度を向上させることができる。
【０１９３】
なお、図２５の第８実施の形態に係る画素２０１は、図１３に示した第１実施の形態に係る構成に対して、埋め込み絶縁膜２３２と遮光膜２４１をさらに追加した構造であるが、上述した第２実施の形態乃至第４実施の形態およびそれらの変形例に対して、図２５の埋め込み絶縁膜２３２と遮光膜２４１をさらに追加した構造も勿論可能である。この場合も、電荷検出部近傍において、電圧スイッチングに追従しないまま、電荷検出部で検出されてしまう電荷を抑制することができ、測距精度を向上させることができる。
【０１９４】
＜１１．画素の第９実施の形態＞
図２６は、本技術を適用した画素の第９実施の形態の画素構造を示す断面図である。
【０１９５】
図２６の第９実施の形態に係る画素２０１は、図２５に示した第８実施の形態に係る構成と、遮光膜２４１の構造のみが異なる。
【０１９６】
具体的には、図２５の第８実施の形態に係る画素２０１では、遮光膜２４１が、埋め込み絶縁膜２３２内のN＋半導体領域７１およびP＋半導体領域７３の周囲（側部）にのみ形成されていた。
【０１９７】
これに対して、図２６の第９実施の形態に係る画素２０１では、遮光膜２４１が、埋め込み絶縁膜２３２内のN＋半導体領域７１およびP＋半導体領域７３の周囲（側部）に加えて、画素中央部と画素境界部の埋め込み絶縁膜２３２内の上面近傍にも形成されている。より具体的には、画素中央部のN＋半導体領域７１−１と７１−２との間の埋め込み絶縁膜２３２内、画素境界近傍のN＋半導体領域７１−１と右隣りの画素２０１のN＋半導体領域７１−２（不図示）との間の埋め込み絶縁膜２３２内、および、画素境界近傍のN＋半導体領域７１−２と、左隣りの画素２０１のN＋半導体領域７１−１（不図示）との間の埋め込み絶縁膜２３２内の上面近傍にも、遮光膜２４１が形成されている。
【０１９８】
このように、埋め込み絶縁膜２３２の形成領域の広い部分については、遮光膜２４１を、N＋半導体領域７１またはP＋半導体領域７３の周囲（側部）だけでなく、平面方向の領域に対しても形成してもよい。
【０１９９】
また、図２６のように、遮光膜２４１は、N＋半導体領域７１またはP＋半導体領域７３の周囲（側部）と、埋め込み絶縁膜２３２の上面近傍だけでなく、図２７に示されるように、画素中央部と画素境界部の隣接する２つのN＋半導体領域７１間を、基板界面から埋め込み絶縁膜２３２内の所定の深さまで埋め込むように形成してもよい。
【０２００】
＜１２．まとめ＞
上述した第１乃至第９実施の形態に係る画素２０１は、第１の電荷検出部（例えば、N＋半導体領域７１−１）および第２の電荷検出部（例えば、N＋半導体領域７１−２）に対応する多層配線層９１内の平面領域に、光の反射を抑制する反射抑制構造を有する。
【０２０１】
この反射抑制構造は、例えば、図１３の第１実施の形態では、ポリシリコンで形成された反射抑制膜２１１であり、図１５の第２実施の形態では、窒化膜で形成された反射抑制膜２１２である。また、図１６の第３実施の形態では、N＋半導体領域７１の下側の領域に配置されないように形成した反射部材２１３であり、図１７の第４実施の形態では、反射抑制膜２１１と反射抑制膜２１２とが多層配線層９１の積層方向に積層された構造である。
【０２０２】
画素２０１が反射抑制構造を備えることにより、半導体基板６１を通過してしまった光が半導体基板６１側へ反射されることで電荷検出部に直接取り込まれる電荷を低減することができる。その結果、電荷検出部近傍において、電圧スイッチングに追従しないまま、電荷検出部で検出されてしまう電荷を抑制することができ、測距精度を向上させることができる。
【０２０３】
＜１３．測距モジュールの構成例＞
図２８は、第１乃至第９実施の形態のいずれかの画素構造を備える受光素子１を用いて測距情報を出力する測距モジュールの構成例を示すブロック図である。
【０２０４】
測距モジュール５００は、発光部５１１、発光制御部５１２、および、受光部５１３を備える。
【０２０５】
発光部５１１は、所定波長の光を発する光源を有し、周期的に明るさが変動する照射光を発して物体に照射する。例えば、発光部５１１は、光源として、波長が７８０nm乃至１０００nmの範囲の赤外光を発する発光ダイオードを有し、発光制御部５１２から供給される矩形波の発光制御信号ＣＬＫｐに同期して、照射光を発生する。
【０２０６】
なお、発光制御信号ＣＬＫｐは、周期信号であれば、矩形波に限定されない。例えば、発光制御信号ＣＬＫｐは、サイン波であってもよい。
【０２０７】
発光制御部５１２は、発光制御信号ＣＬＫｐを発光部５１１および受光部５１３に供給し、照射光の照射タイミングを制御する。この発光制御信号ＣＬＫｐの周波数は、例えば、２０メガヘルツ（ＭＨｚ）である。なお、発光制御信号ＣＬＫｐの周波数は、２０メガヘルツ（ＭＨｚ）に限定されず、５メガヘルツ（ＭＨｚ）などであってもよい。
【０２０８】
受光部５１３は、物体から反射した反射光を受光し、受光結果に応じて距離情報を画素ごとに算出し、物体までの距離を画素ごとに階調値で表したデプス画像を生成して、出力する。
【０２０９】
受光部５１３には、第１乃至第９実施の形態のいずれかの画素構造を備える受光素子１が用いられる。受光部５１３としての受光素子１は、例えば、発光制御信号ＣＬＫｐに基づいて、画素アレイ部２１の各画素２０１の信号取り出し部６５−１および６５−２それぞれの電荷検出部（N＋半導体領域７１）で検出された信号強度から、距離情報を画素ごとに算出する。
【０２１０】
以上のように、間接ToF方式により被写体までの距離情報を求めて出力する測距モジュール５００の受光部５１３として、第１乃至第９実施の形態のいずれかの画素構造を備える受光素子１を組み込むことができる。これにより、測距モジュール５００としての測距特性を向上させることができる。
【０２１１】
以上のように、本技術によればCAPDセンサを、裏面照射型の受光素子の構成とすることで、測距特性を向上させることができる。
【０２１２】
なお、受光素子１は、上述したように測距モジュールに適用できる他、例えば、測距機能を備えるデジタルスチルカメラやデジタルビデオカメラなどの撮像装置、測距機能を備えた携帯電話機といった各種の電子機器に適用することができる。
【０２１３】
本技術では、以上において説明した実施形態を適宜組み合わせることも勿論可能である。すなわち、例えば画素の感度等のどの特性を優先するかに応じて、画素内に設ける信号取り出し部の個数や配置位置、信号取り出し部の形状や共有構造とするか否か、オンチップレンズの有無、画素間遮光部の有無、分離領域の有無、オンチップレンズや基板の厚み、基板の種類や膜設計、入射面へのバイアスの有無、反射部材の有無などを適切に選択することが可能である。
【０２１４】
また、以上においては信号キャリアとして電子を用いる例について説明したが、光電変換で発生した正孔を信号キャリアとして用いるようにしてもよい。そのような場合、信号キャリアを検出するための電荷検出部がP＋半導体領域により構成され、基板内に電界を発生させるための電圧印加部がN＋半導体領域により構成されるようにし、信号取り出し部に設けられた電荷検出部において、信号キャリアとしての正孔が検出されるようにすればよい。
【０２１５】
＜１４．内視鏡手術システムへの応用例＞
本開示に係る技術（本技術）は、様々な製品へ応用することができる。例えば、本開示に係る技術は、内視鏡手術システムに適用されてもよい。
【０２１６】
図２９は、本開示に係る技術（本技術）が適用され得る内視鏡手術システムの概略的な構成の一例を示す図である。
【０２１７】
図２９では、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０２１８】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０２１９】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０２２０】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：  Ｃａｍｅｒａ  Ｃｏｎｔｒｏｌ  Ｕｎｉｔ）１１２０１に送信される。
【０２２１】
ＣＣＵ１１２０１は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０２２２】
表示装置１１２０２は、ＣＣＵ１１２０１からの制御により、当該ＣＣＵ１１２０１によって画像処理が施された画像信号に基づく画像を表示する。
【０２２３】
光源装置１１２０３は、例えばＬＥＤ（Ｌｉｇｈｔ  Ｅｍｉｔｔｉｎｇ  Ｄｉｏｄｅ）等の光源から構成され、術部等を撮影する際の照射光を内視鏡１１１００に供給する。
【０２２４】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０２２５】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０２２６】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０２２７】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０２２８】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Ｎａｒｒｏｗ  Ｂａｎｄ  Ｉｍａｇｉｎｇ）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ＩＣＧ）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０２２９】
図３０は、図２９に示すカメラヘッド１１１０２及びＣＣＵ１１２０１の機能構成の一例を示すブロック図である。
【０２３０】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０２３１】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０２３２】
撮像部１１４０２は、撮像素子で構成される。撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（Ｄｉｍｅｎｓｉｏｎａｌ）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０２３３】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０２３４】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０２３５】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０２３６】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０２３７】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Ａｕｔｏ  Ｅｘｐｏｓｕｒｅ）機能、ＡＦ（Ａｕｔｏ  Ｆｏｃｕｓ）機能及びＡＷＢ（Ａｕｔｏ  Ｗｈｉｔｅ  Ｂａｌａｎｃｅ）機能が内視鏡１１１００に搭載されていることになる。
【０２３８】
カメラヘッド制御部１１４０５は、通信部１１４０４を介して受信したＣＣＵ１１２０１からの制御信号に基づいて、カメラヘッド１１１０２の駆動を制御する。
【０２３９】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０２４０】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０２４１】
画像処理部１１４１２は、カメラヘッド１１１０２から送信されたＲＡＷデータである画像信号に対して各種の画像処理を施す。
【０２４２】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０２４３】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０２４４】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０２４５】
ここで、図示する例では、伝送ケーブル１１４００を用いて有線で通信が行われていたが、カメラヘッド１１１０２とＣＣＵ１１２０１との間の通信は無線で行われてもよい。
【０２４６】
以上、本開示に係る技術が適用され得る内視鏡手術システムの一例について説明した。本開示に係る技術は、以上説明した構成のうち、撮像部１１４０２に適用され得る。具体的には、画素２０１を有する受光素子１を、撮像部１１４０２の構成の一部として適用することができる。撮像部１１４０２の構成の一部として本開示に係る技術を適用することにより、術部までの距離を高精度に測定することができ、より鮮明な術部画像を得ることができる。
【０２４７】
なお、ここでは、一例として内視鏡手術システムについて説明したが、本開示に係る技術は、その他、例えば、顕微鏡手術システム等に適用されてもよい。
【０２４８】
＜１５．移動体への応用例＞
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０２４９】
図３１は、本開示に係る技術が適用され得る移動体制御システムの一例である車両制御システムの概略的な構成例を示すブロック図である。
【０２５０】
車両制御システム１２０００は、通信ネットワーク１２００１を介して接続された複数の電子制御ユニットを備える。図３１に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（ｉｎｔｅｒｆａｃｅ）１２０５３が図示されている。
【０２５１】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０２５２】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０２５３】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０２５４】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０２５５】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０２５６】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Ａｄｖａｎｃｅｄ  Ｄｒｉｖｅｒ  Ａｓｓｉｓｔａｎｃｅ  Ｓｙｓｔｅｍ）の機能実現を目的とした協調制御を行うことができる。
【０２５７】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０２５８】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０２５９】
音声画像出力部１２０５２は、車両の搭乗者又は車外に対して、視覚的又は聴覚的に情報を通知することが可能な出力装置へ音声及び画像のうちの少なくとも一方の出力信号を送信する。図３１の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０２６０】
図３２は、撮像部１２０３１の設置位置の例を示す図である。
【０２６１】
図３２では、車両１２１００は、撮像部１２０３１として、撮像部１２１０１，１２１０２，１２１０３，１２１０４，１２１０５を有する。
【０２６２】
撮像部１２１０１，１２１０２，１２１０３，１２１０４，１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２，１２１０３は、主として車両１２１００の側方の画像を取得する。リアバンパ又はバックドアに備えられる撮像部１２１０４は、主として車両１２１００の後方の画像を取得する。撮像部１２１０１及び１２１０５で取得される前方の画像は、主として先行車両又は、歩行者、障害物、信号機、交通標識又は車線等の検出に用いられる。
【０２６３】
なお、図３２には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０２６４】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０２６５】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０ｋｍ／ｈ以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０２６６】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０２６７】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０２６８】
以上、本開示に係る技術が適用され得る車両制御システムの一例について説明した。本開示に係る技術は、以上説明した構成のうち、車外情報検出ユニット１２０３０や撮像部１２０３１に適用され得る。具体的には、画素２０１を有する受光素子１を、車外情報検出ユニット１２０３０や撮像部１２０３１の距離検出処理ブロックに適用することができる。車外情報検出ユニット１２０３０や撮像部１２０３１に本開示に係る技術を適用することにより、人、車、障害物、標識又は路面上の文字等の物体までの距離を高精度に測定することができ、得られた距離情報を用いて、ドライバの疲労を軽減したり、ドライバや車両の安全度を高めることが可能になる。
【０２６９】
また、本技術の実施の形態は、上述した実施の形態に限定されるものではなく、本技術の要旨を逸脱しない範囲において種々の変更が可能である。
【０２７０】
また、本明細書中に記載された効果はあくまで例示であって限定されるものではなく、他の効果があってもよい。
【０２７１】
なお、本技術は以下のような構成も取ることができる。
（１）
オンチップレンズと、
配線層と、
前記オンチップレンズと前記配線層との間に配される半導体層と
を備え、
前記半導体層は、
第１の電圧が印加される第１の電圧印加部と、
前記第１の電圧とは異なる第２の電圧が印加される第２の電圧印加部と、
前記第１の電圧印加部の周囲に配置される第１の電荷検出部と、
前記第２の電圧印加部の周囲に配置される第２の電荷検出部と
を備え、
前記配線層は、前記第１の電荷検出部および前記第２の電荷検出部に対応する平面領域に、光の反射を抑制する反射抑制構造を有する
受光素子。
（２）
前記反射抑制構造は、ポリシリコンで形成された膜である
前記（１）に記載の受光素子。
（３）
前記反射抑制構造は、窒化膜で形成された膜である
前記（１）に記載の受光素子。
（４）
前記反射抑制構造は、ポリシリコンで形成された第１の反射抑制膜と、窒化膜で形成された第２の反射抑制膜とが前記配線層の積層方向に積層された構造である
前記（１）に記載の受光素子。
（５）
前記配線層は、前記第１の電圧を供給する第１の電圧印加配線と、前記第２の電圧を供給する第２の電圧印加配線と、反射部材とを備える１層の配線を少なくとも有し、
前記反射部材は、前記第１の電荷検出部および前記第２の電荷検出部に対応する平面領域には形成されていない
前記（１）乃至（４）のいずれかに記載の受光素子。
（６）
前記第１の電圧印加配線と、前記第２の電圧印加配線と、前記反射部材とを備える前記１層の配線は、複数層の配線のうち、前記半導体層に最も近い配線である
前記（５）に記載の受光素子。
（７）
前記反射部材は、金属膜である
前記（５）または（６）に記載の受光素子。
（８）
前記半導体層は、
前記第１の電圧印加部と前記第１の電荷検出部との間、および、前記第２の電圧印加部と前記第２の電荷検出部との間に、第１の埋め込み絶縁膜をさらに備える
前記（１）乃至（７）のいずれかに記載の受光素子。
（９）
前記第１の埋め込み絶縁膜の内部に、遮光膜をさらに備える
前記（８）に記載の受光素子。
（１０）
前記半導体層は、
前記第１の電荷検出部と前記第２の電荷検出部との間にも、第２の埋め込み絶縁膜をさらに備える
前記（８）または（９）に記載の受光素子。
（１１）
前記第１の電荷検出部と前記第２の電荷検出部との間の前記第２の埋め込み絶縁膜の内部に、遮光膜をさらに備える
前記（１０）に記載の受光素子。
（１２）
オンチップレンズと、
配線層と、
前記オンチップレンズと前記配線層との間に配される半導体層と
を備え、
前記半導体層は、
第１の電圧が印加される第１の電圧印加部と、
前記第１の電圧とは異なる第２の電圧が印加される第２の電圧印加部と、
前記第１の電圧印加部の周囲に配置される第１の電荷検出部と、
前記第２の電圧印加部の周囲に配置される第２の電荷検出部と
を備え、
前記配線層は、前記第１の電荷検出部および前記第２の電荷検出部に対応する平面領域に、光の反射を抑制する反射抑制構造を有する
受光素子
を備える電子機器。
【符号の説明】
【０２７２】
１  受光素子，  ２１  画素アレイ部，  ５１  画素，  ６１  半導体基板，  ６２  オンチップレンズ，  ６５−１，６５−２，６５  信号取り出し部，  ７１−１，７１−２，７１  N＋半導体領域，  ７３−１，７３−２，７３  P＋半導体領域，  ９１  多層配線層，  ９２  層間絶縁膜，  ９３  電圧印加配線，  ９４  反射部材，  ９５  信号取り出し配線，  ９６  配線，  １０１  転送トランジスタ，  １０２  FD，  １０３  付加容量，  １０４  切替トランジスタ，  １０５  リセットトランジスタ，  １０６  増幅トランジスタ，  １０７  選択トランジスタ，  M１乃至M５  金属膜，  ２０１  画素，  ２１１，２１２  反射抑制膜，  ２１３  反射部材，  ２３１，２３２  埋め込み絶縁膜，  ２４１  遮光膜，  ５００  測距モジュール，  ５１３  受光部
【図１】
2019161171.tif 000003
【図２】
2019161171.tif 000004
【図３】
2019161171.tif 000005
【図４】
2019161171.tif 000006
【図５】
2019161171.tif 000007
【図６】
2019161171.tif 000008
【図７】
2019161171.tif 000009
【図８】
2019161171.tif 000010
【図９】
2019161171.tif 000011
【図１０】
2019161171.tif 000012
【図１１】
2019161171.tif 000013
【図１２】
2019161171.tif 000014
【図１３】
2019161171.tif 000015
【図１４】
2019161171.tif 000016
【図１５】
2019161171.tif 000017
【図１６】
2019161171.tif 000018
【図１７】
2019161171.tif 000019
【図１８】
2019161171.tif 000020
【図１９】
2019161171.tif 000021
【図２０】
2019161171.tif 000022
【図２１】
2019161171.tif 000023
【図２２】
2019161171.tif 000024
【図２３】
2019161171.tif 000025
【図２４】
2019161171.tif 000026
【図２５】
2019161171.tif 000027
【図２６】
2019161171.tif 000028
【図２７】
2019161171.tif 000029
【図２８】
2019161171.tif 000030
【図２９】
2019161171.tif 000031
【図３０】
2019161171.tif 000032
【図３１】
2019161171.tif 000033
【図３２】
2019161171.tif 000034